Podtech/llm-jp-corpus-v4-ja_patent huggingface dataset:
(57)【要約】      （修正有）【課題】脳梗塞などの後遺障害や、入院後の筋力低下での歩行困難者の歩行時に、義足使用者の練習時に、安定歩行の補助を目的に下腿を添え木支持する杖状の歩行支援機器を提供する。【解決手段】下腿から足首にかけて杖を固定し、体のすぐ脇を足全体の長さと同じ程度のまっすぐな杖１が、添え木の役割をし、自然に下した手が杖の先端部６を握りやすい形状にし、下端部から体の外側に向けて添え木の補助となる半円状のアーム３を出し、椅子に座る時には柄の長さを短く収納でき、歩行時の前後への体重移動をスムーズにしつつ杖自体の安定度を増したことを特徴とする歩行支援機器。【選択図】図１
2010082419.tif 000002
【特許請求の範囲】
【請求項１】
膝下から足首にかけて下腿に沿って杖の下半分を固定、添え木の役割をし、自然に下した手が杖の先端部を握りやすい形状にし、下端部から体の外側に向けて添え木の補助となる半円状のアームを出し、歩行時の前後への体重移動をスムーズにしつつ杖自体の安定度を増したことを特徴とする歩行支援機器。
【発明の詳細な説明】
【技術分野】
【０００１】  本発明は、歩行困難者の歩行時に、また義足使用者の練習時に、安定して体を支持し、前後への動きをスムーズにし、座位から立位への移行を容易にする、使用者自身の下腿部を支持に使う歩行支援機器に関するものである。
【背景技術】
【０００２】  従来、歩行支援用の杖は、杖自体に自立機能を持たせたり、使用者の腕に巻きつけたりして安定感を向上させたものであった。そのため、どうしても腕力のみに頼らざるを得ない面があった。
【発明の開示】
【発明が解決しようとする課題】
【０００３】  そのために、次のような問題点があった。
（イ）片麻痺などで手もうまく動かせない使用者には、不十分であった。
（ロ）本体が体を離れると、片方の腕力のみで支えるために不安定になりやすく、使用者の恐怖心を引き起こすことがあった。
（ハ）歩行時に使用することが主目的のため、座位から立位への移行時には、ほとんど使用されていなかった。
（ニ）椅子に座っている際に、杖の保持場所を探さねばならなった。
（ホ）義足使用者が義足に体重を乗せる練習時に、固定運動器具と介助者以外に体を支えるものは無かった。
本発明は以上の問題点を解決しようとするものである。
【問題を解決するための手段】
【０００４】  下腿から足首にかけて杖を固定し、体のすぐ脇を足全体の長さと同じ程度のまっすぐな杖が、添え木の役割をする。自然に下した手が杖の先端部を握りやすい形状にし、手を通じ体重をかけやすくする。下端部から体の外側に向けて添え木の補助となる半円状のアームを出し、歩行時の前後への体重移動をスムーズにしつつ杖自体の安定度を増したことを特徴とする歩行支援機器である。
【発明の効果】
【０００５】  本発明は、歩行困難者の杖と使用者の足を一体化させることにより、杖が足の添え木に、足が杖の安定に其々作用し、安定した立位、歩行を補助する効果がある。
【発明を実施するための最良の形態】
【０００６】  以下、本発明の実施の形態を説明する。
（イ）下肢の長さを持つＩ字状の杖（１）に、下腿部に沿わせ固定するための横向きにＵ字状の突起（２）を２本設ける。
（ロ）Ｕ字状の突起（２）の先端に、下肢に巻きつけるベルト（３）を取り付ける。
（ハ）Ｉ字状の杖（１）の下方に、Ｕ字状の突起（２）と反対側に、杖下端に逆Ｌ字状の補助具（４）を取り付ける。
（ニ）逆Ｌ字状の補助具（４）の下端底面に、半月状の底板（５）をつける。
（ホ）Ｉ字状の杖（１）上端に、四指で握れるグリップ（６）を取り付ける。
（ヘ）座位時には、杖（１）を短縮して使用する。
本発明は以上の構成よりなっている。
本発明を使用するときは上記の歩行支援機器を下腿部（７）に沿わせ固定し、Ｕ字状の突起（２）を下腿側面に密着させベルト（３）を下肢に巻きつけ装着する。
この結果、杖が歩行時の下腿の動きと連動する。杖上端のグリップ（６）を握り、上下で安定した足の運びをサポートする。
【図面の簡単な説明】
【０００７】
【図１】本発明の斜視図  （ａ）使用状態を示す。（ｂ）短縮状態を示す。
【図２】本発明の分解斜視図
【図３】本発明の装着状態を示した斜視図
【図４】本発明の半月状の底板部の拡大図  （ａ）直立時の状態を示す。（ｂ）歩行時足関節の背屈時の状態を示す。（ｃ）装着時の後方から見た状態を示す。
【符号の説明】
【０００８】      １  下肢の長さを持つ伸縮性のあるＩ字状の杖
２  Ｕ字状の突起
３  ベルト
４  逆Ｌ字状の補助具
５  半月状の底板
６  グリップ
７  下腿部
【図１】
2010082419.tif 000003
【図２】
2010082419.tif 000004
【図３】
2010082419.tif 000005
【図４】
2010082419.tif 000006
(57)【要約】【課題】本発明は、アクセサリにクリップを設けたことを特徴とするクリップ付きアクセサリを提供する。【解決手段】アクセサリ（１）にクリップ（２）を設けたことを特徴とするクリップ付きアクセサリである。【選択図】図１
2010082416.tif 000002
【特許請求の範囲】
【請求項１】
アクセサリ（１）にクリップ（２）を設けたことを特徴とするクリップ付きアクセサリ。
【発明の詳細な説明】
【技術分野】
【０００１】  本発明は、アクセサリにクリップを設けたことを特徴とするクリップ付きアクセサリに関するものである。
【背景技術】
【０００２】  従来、帽子や鞄に固定するアクセサリは、安全ピンやネジを使ったものしかなかった。
【発明の開示】
【発明が解決しようとする課題】
【０００３】  そのために、次のような問題点があった。
（イ）ネジ式の場合、帽子や鞄に穴を開けなければならなかった。
（ロ）安全ピン式の場合は帽子のつばの様な硬い部分へ固定するのが難かった。
本発明は、上記の問題点を解決するためになされたものである。
【課題を解決するための手段】
【０００４】  アクセサリ（１）にクリップ（２）を設ける。
以上のように構成されたクリップ付きアクセサリである。
【発明の効果】
【０００５】  帽子や鞄への取付けがクリップで挟むだけであり容易である。
帽子や鞄に穴を開ける必要が無い。
【発明を実施するための最良の形態】
【０００６】  アクセサリ（１）にクリップ（２）を設ける。
以上のように構成されたクリップ付きアクセサリである。
クリップ（２）を帽子（３）のつばや鞄の布地に挟み込む事で固定する。
クリップ（２）をタッグクリップにしても良い。
【図面の簡単な説明】
【０００７】
【図１】  本発明の斜視図である。
【図２】  本発明の使用状態を示した側面図である。
【符号の説明】
【０００８】      １  アクセサリ
２  クリップ
３  帽子
【図１】
2010082416.tif 000003
【図２】
2010082416.tif 000004
(57)【要約】【課題】  本発明は、ゴルフボールに文字、絵文字、などの見て楽しくなるボールマークを綺麗に、簡単に、押せるスタンプを提供するものである。【解決手段】  複数のインク付着部を同一円周上に設け、そのインク付着部に対して直行する回転軸を設けたボール形スタンプ台を、スタンプ受台に枢着し、スタンプ台蓋を設ける、そのスタンプ受け台の下にスタンプ収納部を設け、ゴルフボールの外径に合わせ凹形に形成したスタンプを収納できることを特徴としたゴルフボールマーカーである。【選択図】図１
2010082418.tif 000002
【特許請求の範囲】
【請求項１】
複数のインク付着部を同一円周上に設け、そのインク付着部に対して直行する回転軸を設けたボール形スタンプ台をスタンプ受台に枢着し、スタンプ台蓋を設け、そのスタンプ受け台の下にスタンプ収納部を設け、ゴルフボールの外径に合わせ凹形に形成したスタンプを収納できることを特徴としたゴルフボールマーカー。
【発明の詳細な説明】
【技術分野】
【０００１】  本発明はゴルフボールに識別用のマーキングを施すためのスタンプ台に関するものである。
【背景技術】
【０００２】  従来、ゴルフボールには、他の同伴競技者との識別用に、ボールのメーカー名、数字、などがついているが、状況によってはボールの確認がし難い場合がある、ゴルフコース内でのインプレー中のボールは、特別の場合を除いては、ピックアップできない、ゴルフ競技は複数人でプレイするにあたり、各々のボールを誤球のないように、既製の識別印の他に、マジックペンなどで印を付けている人がいる。なお、ゴルフボールに固有のマークを付着する際に使用し、固有のマークを綺麗に正確に簡単に付着することができるゴルフボールマーカーの発明が知られている（特許文献１）。
【特許文献１】特開２００６−６７５８号公報
【発明の開示】
【発明が解決しょうとする課題】
【０００３】  本発明は上記のようなゴルファーのゴルフボールに、文字、絵文字、などの、見て楽しくなるボールマークを綺麗に、簡単に、押せるスタンプを提供するものである。
【課題を解決するための手段】
【０００４】  複数のインク付着部を同一円周上に設け、そのインク付着部に対して直行する回転軸を設けたボール形スタンプ台をスタンプ受台に枢着し、スタンプ台蓋を設ける、そのスタンプ受け台の下にスタンプ収納部を設け、ゴルフボールの外径に合わせ凹形に形成したスタンプを収納できることを特徴としたゴルフボールマーカーである。
【発明の効果】
【０００５】  本発明の、スタンプを使うことにより、文字や絵文字、などの輪郭がはっきりと、簡単に綺麗にマークできる、本発明のスタンプは同伴競技者とのボールの識別が簡単にできる、また、４人でプレイして、４人とも種類の違うスタンプを押して楽しむことができる効果がある。
【０００６】  持ち運びが簡単なことで、いつでも、どこでも、手軽に使用できる効果があり、スタンプの種類やスタンプ台の色の組み合わせにより、カラフルなマークを多数種類簡単に作ることができる効果がある。  ゴルフの楽しみ方として、いろいろな物や、スタイル、で楽しんだり、あるいはゴルフに行く前の日から自分のボールに、本発明のスタンプを使って、好みの絵文字などをマークすれば、前日よりワクワクとして、ゴルフプレイヤーのゴルフライフを楽しくする効果がある。
【発明を実施するための最良の形態】
【０００７】  複数のインク付着部を同一円周上に設け、そのインク付着部に対して直行する回転軸を設けたボール形スタンプ台をスタンプ受台に枢着し、スタンプ台蓋を設ける、そのスタンプ受け台の下にスタンプ収納部を設け、ゴルフボールの外径に合わせ凹形に形成したスタンプを収納できることを特徴とするゴルフボールマーカーである。【０００８】  ゴルフボールにスタンプ（６）を持ち、ボール形インク台（４）の複数のインク付着部（４１）で好みのインクを付着させ、ゴルフボールに綺麗に簡単に個人識別用のマークを押印することが出来る。【０００９】  収納時にはスタンプ収納部（１）に凹形スタンプ（５）を収納する。【００１０】  ボール形スタンプ台（４）をボール形スタンプ台軸受部（２）に枢着する。【００１１】  スタンプ台蓋（３）をはずし逆さに置き、ゴルフボールにスタンプを押印する際に、ボールを固定させるための、ゴルフボール受けとして使用する。
【図面の簡単な説明】
【００１２】
【図１】本発明の斜視図。
【図２】Ａ−Ａ断面図。
【図３】本発明の分解斜視図。
【図４】ボール形スタンプ台の正面図。
【図５】凹形スタンプ
【符号の説明】
【００１３】  １    スタンプ収納部
２    ボール形スタンプ台軸受台
３    スタンプ台蓋
４    ボール形スタンプ台
４１  インク付着部
５    凹形スタンプ
６    持ち手
【図１】
2010082418.tif 000003
【図２】
2010082418.tif 000004
【図３】
2010082418.tif 000005
【図４】
2010082418.tif 000006
【図５】
2010082418.tif 000007
(57)【要約】      （修正有）【課題】傘や杖を立てかけようとすると滑って倒れる。仕方なく隅などにおくと忘れてしまうことが多々ある。また、傘をさす時に荷物が有って、手を持ちかえることが難しい時などだんだん傘が重く感じられて困る事がある。【解決手段】本発明品をテーブルに挟んで、これに傘や杖をもたれさせると、倒れなくてすむ。手近のテーブル等見える所に置く事によって、忘れることも防止できる。クリップ状の物の内側にゴム５を貼って、摩擦力を強くしておくと軽い物ならこのクリップに引っ掛けも出来る。また荷物などがあって傘をさす時、手を持ちかえる事が難しい時に柄に挟んでその下を持つと握る力が少なくてすむ。この時、クリップの表面を脱脂綿で包むと手に当たる所が柔らかく手に優しい。その上、可愛い、おしゃれな模様の布を表面に被せることによって、アクセサリー感覚で楽しめる。一つのクリップで幾通りもの使い方が出来る。【選択図】図１
2010082393.tif 000002
【特許請求の範囲】
【請求項１】
ルストラン等に入って、傘や杖が倒れるのを防止する為の可愛いクリップ。テーブル等にこのクリップを止めて傘や杖をもやれさせる。手近で見える所に置いておけば、忘れる事も防止出来る。また、傘をさす時に柄にこのクリップを付けて、その下を持つと、握る力が少なくてすむ。傘が軽く感じる。
【発明の詳細な説明】
【技術分野】
【０００１】
本発明は、クリップの内側にゴムを貼って摩擦力を大きくして、テーブル等を挟む力を強くすると共に、傘をさす時に柄を挟む力が大きくなり、傘を支えるようにする。
【背景技術】
【０００２】
レストラン等に入って、傘や杖をテーブルに立てかけようとすると、滑って何回も立てようとするが、また滑る。仕方なく隅に立てておくと、忘れて店を出てから気付くと言う事が多々有る。滑り止めと共に忘れ防止にもなる。また、荷物が多くて、傘をさす手を代えられない時に柄に止めてその下を持てば、握る力が少なくてすむ。このような時に摩擦力が大きくなるようにクリップの内側にゴムを貼る。
【発明の開示】
【発明が解決しようとする課題】
【０００３】
解決しようとする問題点は、傘や杖を立てかける時に滑るのを防止すると共に、忘れるのも防止出来る。また傘をさす時の握る力が少なくてすむ。                                                                                                    
【課題を解決するための手段】
【０００４】
本発明は、クリップ状のものの内側にゴムを貼って、摩擦力を大きくする。外側に、可愛いちりめん等の布を被せるとおしゃれなアクセサリー感覚で使える。
【発明の効果】
【０００５】
本発明は、傘や杖を立てかける時に滑るのを防止すると共に、手近に置く事で忘れるのも防止出来る。軽い荷物ならこのクリップに引っ掛ける事が出来る。
また、傘をさす時に柄に挟んでその下を持つと、握る力が少なくてすむ。  
【発明を実施するための最良の形態】
【０００６】
（イ）  クリップ状の物にゴムを貼り付け摩擦力を大きくする。                                                                                                                                                  （ロ）  傘をさした時、手に優しいように、クリップの外側を脱脂綿でくるむ。その外側を可愛い布で包む。
以上のようにして、実用的でありながら可愛いおしゃれな傘のアクセサリーになる。
【図面の簡単な説明】
【０００７】
【図１】本発明品の全体図
【図２】本発明品の使用例
【符号の説明】
【０００８】
1    本クリップの上側
2          
本クリップの下側
3          
本クリップのつまみ上側
4          
本クリップのつまみ下側
5          
本クリップの内側  ゴムを貼る
6          
本クリップをテーブルに挟んだ時の使用例
7          
本クリップを利用して傘をさした時の使用例
【図１】
2010082393.tif 000003
【図２】
2010082393.tif 000004
(57)【要約】【課題】野球用のバッティング練習はボールを持って下からトスまたはボールを投げるのが一般的な練習方法で打ったボールが遠くに飛んだり思いがけない方向に飛んだりする事でボールの回収する事が大変であり、またボールが人や物に当たり怪我や事故が発生することがある。またボールトスや投げる事には体力の限界があるのでボールを一定の位置範囲に常に投げる事の確率性に欠ける。【解決手段】バッティング練習用マシンにボールの変わりにバトミントンの羽根を用いたバッティングマシンを製作する事で、強く打っても遠くに飛ばず、羽根の質量が少ない為に人に当っても怪我や打撲が軽減され、また飛んでも５・６メートル範囲なので回収が楽であり、バット芯で羽根を捕らえないと飛ばないので野球での芯で打つ練習効果に繋がるマシンになる。【選択図】図１
2010082391.tif 000002
【特許請求の範囲】
【請求項１】
野球練習のバッティングマシンでボールの代わりにバドミントンの羽根を用いるバッティングマシンであり、一方でバトミントンのバッティング練習にも使用可能とする。
【請求項２】
バッティングマシンでバドミントンの羽根を放出する時に羽根の内面のすり鉢状の底部分を回転アームの先端部で叩き放出方法。
【請求項３】
バッティングマシンでバドミントンの羽根を放出する時に羽根のフレ―ム根元部分にクシ歯形状を差込むようにして羽根のゴム部分を前にして回転アームにて投げる様に放出する方法。
【発明の詳細な説明】
【技術分野】
【０００１】
この発明は野球のバッティング練習用マシンにボールの代わりにバトミントンの羽根を用いて、その羽根を機械的に放出方法に関する。
【０００２】
バッティング練習マシンでボールの芯を打つ事は大切な事でその芯を打つ練習にバトミントンの羽根の先端部分を打つ練習をできる様に羽根が安定して放出できるマシンの構造に関する
【発明の開示】
【発明が解決しようとする課題】
【０００３】
この発明はバトミントンの羽根でバッティングマシンのボールに代わり複数のバトミントンの羽根を個々に切り出した後にその羽根を放出する方法。
【課題を解決するための手段】
【０００４】
この課題を解決するため、バトミントンの羽根を傾斜の付いた筒に一定の数をストックできる様にし、羽根を装填部の最下部から1個ずつ分離して定位置で止めて、その羽根をモーター動力で回転するアームで引っ張りバネがリンクされたアームに回転伝達し、回転位置で最張力が出る位置からフリーとなることで  引っ張りバネが元に戻る応力で回転アームに急速スピード生まれ、その応力を利用して回転アームの先端部分で羽根を放出する。
【発明の効果】
【０００５】
バトミントンの羽根の打撃練習は、ボールのように遠くに飛ぶことなく羽根はボールのように質量が少ないことから人に打球が当っても怪我・打撲等が軽減される、また羽根が遠くに飛ばないことから回収が楽になる。またバットスイングする時に羽根の芯ゴムを捕らえない限り、飛ばないので打撃練習の効果が上ると共にマシンから近い位置での打撃と成ることから野球に大事な同体視力がついてくるものと考えられる。
第２にバトミントン羽根を利用する事なので当然、バトミントン練習としてレシーブや放出角度を変えることでスマッシュの打撃練習マシンとして可能である。
【発明を実施するための最良の形態】
【０００６】
この発明の実施形態を図１に示す。
【実施形態の効果】
【０００７】
バトミントンの羽根を用いたバッティングマシンは今までのバッティングマシンと比べると大きく軽量化となり持ち運びが楽になり、更に安全性も高くなる。
【図面の簡単な説明】
【０００８】
【図１】この発明の実施形態（請求項―２）で羽根のストックから羽根分離・滑走ガイド・羽根位置出しを示し、羽根内面のすり鉢状の底面を叩き出すマシン構造全体を示す図である。
【図２】図１の正面側から見た一部分の構造を示す図である。
【図３】図１でバトミントン羽根の１つに分離された後の羽根の放出前の軸回転駆動による位置出し開閉ダンパー動作を示す図である。
【図４】羽根を放出する時に羽根のフレーム根元部分にクシ歯形状を差込み羽根を放出する回転アームを見た図を示す。
【図５】図４の正面側からの見た一部分の構造を示す図である。
【符号の説明】
【０００９】
１    羽根ストッカー
２    羽根分離部
３    滑走ガイド
４    回転放出アーム
５    駆動モーター
６    引張りバネ
７    くし歯状回転放出アーム
８    クランクリンクアーム
９    分離・開閉アーム用駆動軸
１０  羽根位置だし開閉バンパー
【図１】
2010082391.tif 000003
【図２】
2010082391.tif 000004
【図３】
2010082391.tif 000005
【図４】
2010082391.tif 000006
【図５】
2010082391.tif 000007
(57)【要約】【課題】無影灯をアシスタントカートに取り付けて、該無影灯の照射位置をアシスタントカートの移動により調整可能とし、更には、治療椅子に無影灯が機械的に繋がっていないようにして、患者が動くことによって無影灯が揺れるようなことをなくす。【解決手段】アシスタントカート１０から垂直に延長された支柱１４と、該支柱１４の上端部から回動自在に延長した単一のアーム１５と、該アーム１５の先端部に取り付けられた無影灯３を有する。【選択図】図１
2010082324.tif 000002
【特許請求の範囲】
【請求項１】
アシスタントカートから垂直に延長された支柱と、該支柱の上端部から回動自在に延長した単一のアームと、該アームの先端部に取り付けられた無影灯を有することを特徴とする歯科用アシスタントカート。
【発明の詳細な説明】
【技術分野】
【０００１】
本発明は、歯科治療に用いて好適なアシスタントカート、より詳細には、無影灯をアシスタントカートに取り付けて、該無影灯の照射位置をアシスタントカートの移動により調整可能とし、同時に、無影灯取り付けアームの長さを短くすることにより、無影灯アームが患者等の移動の邪魔にならないようにし、かつ、アシスタントが無影灯を移動させる際に楽に行えるようにし、
更には、アシスタントカートに無影灯を取り付けることにより、患者が座っている治療椅子に無影灯が機械的に繋がっていないようにして、患者が動くことによって無影灯が揺れるようなことをなくし、術者の治療の妨げにならないようにしたものである。
【背景技術】
【０００２】
図２は、従来の歯科治療ユニットの一例を説明するための全体構成図で、該歯科治療ユニットは、歯科治療椅子１、スピットン２、無影灯３、該無影灯３を取り付けるための支柱４及びアーム５、ワークテーブル６、インスツルメントホルダ７、インスツルメント８、フットスイッチ９等からなり、インスツルメントホルダ７には、歯科治療において使用する種々のインスツルメント８が収納されており、周知のように、歯科治療に当たり、患者は歯科治療椅子１に座り、頭を安頭台１ａに固定して治療を受ける。治療中、術者は、歯科治療椅子１を上下動，倒起動，傾斜動等させて、患者を治療しやすい姿勢にして、かつ、無影灯３を移動して患者の口腔内を照明し、インスツルメントホルダ７より所望のインスツルメント８を取り出して治療を行う。
【特許文献１】特開２００７−２７５３８３号公報
【発明の開示】
【発明が解決しようとする課題】
【０００３】
上述のように、歯科用ユニットには、口腔内の照射を行う為、無影灯３が設置されているが、あらゆる診療ポジションに対応する為、それぞれの診療ポジションに対応できるアーム長さが必要であり、特に、無影灯３を取り付ける支柱４に水平方向のアーム長さを採るための水平方向延長部４1，４2等を設ける必要があった。
【０００４】
患者がうがいをする、患者が治療椅子に乗降する場合等に、患者と無影灯との接触を避ける為、毎回無影灯を動かす必要もあり、長い無影灯アームをアシスタントが無理な姿勢で動かすという問題があった。
【０００５】
通常、患者が座っている治療椅子１と機械的に繋がった位置に無影灯３が取り付けられている為、例えば、診療中に患者が動くことで無影灯が微かに揺れ、術者の診療の妨げになるケースがあった。
【０００６】
本発明は、アシスタントカートに無影灯を設けるようにし、該無影灯の大幅な移動を該アシスタントカートで行うようにし、もって、無影灯アームの長さを短くしてアシスタントの無影灯操作を容易にし、かつ、無影灯を診療椅子から機械的に分離して、治療椅子の振動が無影灯に伝達しているようにすることを目的としてなされたものである。
【課題を解決するための手段】
【０００７】
アシスタントカートから垂直に延長された支柱と、該支柱の上端部から回動自在に延長した単一のアームと、該アームの先端部に取り付けられた無影灯を有することを特徴とするものである。
【発明の効果】
【０００８】
アシスタントカートから無影灯を延長するようにする事により、無影灯を患者の口腔位置に対し近くまで寄せられる為、無影灯のアームが短く、シンプルな構造になる為安価に製造できる。
【０００９】
患者がうがいをし、患者が治療椅子から退出する際等に、アシスタントが毎回行っている無影灯を動かす動作を、楽な姿勢で簡単に行える。
【００１０】
患者が座っている治療椅子とは、機械的に繋がっていない為、患者が動く事により無影灯が揺れることが無くなり、術者の診療の妨げになる事がない。
【発明を実施するための最良の形態】
【００１１】
図１は、本発明による歯科用アシスタントカートの一実施例を説明するための概略全体構成図で、アシスタントカート１０は、周知のように、アシスタントが患者の口腔内を清掃するのに使用する種々のインスツルメント１１、例えば、排唾管、シリンジ、バキューム管等を有し、これらインスツルメント１１が、インスツルメントホルダ１２に着脱自在に装着されており、必要により、これらをインスツルメントホルダ１２から取り出して使用するようになっている。
【００１２】
而して、本発明が適用されるアシスタントカートは、キャスタ１３を有し、任意所望の箇所へ移動可能となっており、該アシスタントカート１０には垂直に延長して取り付けられた支柱１４と、該支柱１４の上部に回動自在に取り付けられた回動アーム１５を有し、該回動アーム１５の先端に無影灯３を取り付けるようにしたものである。
【００１３】
本発明は、上述のごときアシスタントカート１０に、無影灯３を取り付けるようにし、もって、無影灯３の大幅な移動を該アシスタントカート１０によって行うようにし、かつ、無影灯アームの長さを短くして、無影灯アームによる無影灯の移動を小幅なものとし、アシスタントの無影灯移動を容易にするとともに、無影灯アームが患者が治療椅子に乗降するときの邪魔にならないようにしたものである。
【００１４】
更には、本発明は、無影灯３をアシスタントカート１０に取り付けるようにすることにより、無影灯３と治療椅子１との機械的な繋がりをなくし、歯科治療中、治療椅子１上の患者が動いても、無影灯３が揺れないようにして、術者の診療がスムーズに行えるようにしたものである。
【図面の簡単な説明】
【００１５】
【図１】本発明によるアシスタントカートの一例を説明するための全体構成図である。
【図２】従来の歯科治療ユニットにおける無影灯の取り付け状態を説明するための概略構成図である。
【符号の説明】
【００１６】
３…無影灯、１０…アシスタントカート、１１…アシスタント用インスツルメント、１２…インスツルメントホルダ、１３…キャスタ、１４…無影灯取り付け用支柱、１５…無影灯取り付け用アーム。
【図１】
2010082324.tif 000003
【図２】
2010082324.tif 000004
(57)【要約】【課題】  水力発電装置の水受けランナーと組み合わせた水受けランナー円筒枠が水のエネルギーを効果的に捕捉できていなかったものを、水流エネルギーを効果的に捕捉可能にして、水受けランナーの回転能力を向上させて発電することを課題とする。【解決手段】  水受けランナー４と水受けランナー円筒枠８の組み合わせにより、水受けランナー円筒枠８の水受け口と排水口の間は外部に水が逃げないように筒状になっており、水受けランナー円筒枠８の内部と同等の形態を成した水受けランナー４は水受けランナー円筒枠８の内側を水の重力と圧力を受けながら移動し、さらに、水受けランナー４を水受けランナー固定シャフト６により、垂直に構成し、水流を直角に受ける状態になり、そのために、水流エネルギーを効果的に捕捉でき、水受けランナー４の回転能力が強化され、発電能力も上昇することになり、発電手段として、上部回転軸１に掛けられたチエーン７により発電機９を回転させて発電する発電装置。【選択図】図１
2010276007.tif 000002
【特許請求の範囲】
【請求項１】
水力発電装置に設置する、水受けランナーと水受けランナー円筒枠の組み合わせにより、水流のエネルギーを効果的に捕捉するための補強策として、水受けランナーが通過する水受けランナー円筒枠を筒状にし、水受け口と排水口の間は外部に水が逃げないように、水受けランナーは水受けランナー円筒枠の内部と同等の形状を成し、水受けランナーを垂直に構成しながら水流の重力と圧力を直角に受ける状態にすることによって、水流のエネルギーを効果的に捕捉でき、その効果によって、水受けランナーの回転能力が強化されるため、発電能力が上昇することになり、発電手段として上部回転軸に掛けられたチエーンにより発電機を回転させて発電する水力発電装置。
【発明の詳細な説明】
【技術分野】
【０００１】  本発明は、水力発電装置に設置する、回転能力、水エネルギーの捕捉能力を強化するための水受けランナーおよび、水受けランナー円筒枠に関するものである。
【背景技術】
【０００２】  従来の発電装置においては、水受けランナーおよび、水受けランナー円筒枠が受ける水量の大半が外部へ流れ出て水受けランナーの水の捕捉能力を十分に生かせていない、また、水圧管等内に設置されているプロペラ型式の羽根板は回転させるための機能として傾斜構造になっており、水のエネルギーを効果的に捕捉できていない。
【先行技術文献】
【特許文献】
【０００３】
【特許文献１】  特開平５−１０２４６号公報
【特許文献２】  特開平１１−３４３９５６号公報
【特許文献３】  特開２０００−９０１２号公報
【特許文献４】  特開２００１−１３２６０７号公報
【発明の概要】
【発明が解決しようとする課題】
【０００４】解決しようとする問題点は、水受けランナーが受ける水量の大半が外部へ流れ出て水受けランナーの水の捕捉能力を十分に生かせていないことと、水圧管等内に設置されているプロペラ型式の羽根板は水流を捕捉して回転させるための機能として傾斜構造になっており、水のエネルギーを効果的に捕捉できていない点にある。
【課題を解決するための手段】
【０００５】上記目的を達成するために、水力発電装置に設置される本発明の水受けランナーと水受けランナー円筒枠との組み合わせにより、水の重力、圧力の捕捉能力、および回転能力を向上させるための手段として、水受けランナー円筒枠の内部と同等の形状を成した水受けランナーを構成することで、外部に水が逃げないようにし、、水受けランナーを垂直に構成しながら水流を直角に受けられる状態になり、水受けランナーの水の重力と圧力を効果的に受けられる環境、機能を構成することによって、水受けランナーの水の重力と水圧の捕捉、回転および、発電能力を高めることを最も主要な特徴とする。
【発明の効果】
【０００６】このようにすれば、水受けランナー円筒枠の水受け口から入った水を排水口まで、外部に逃がすことなく、水受けランナーが水の重力、圧力を効果的に受けられ、さらに、水受けランナーを垂直に構成することによって、水の重力、圧力を水受けランナーが直角に受けられる状態になり、水のエネルギーを効果的に取り込んで捕捉し、水受けランナーの回転、発電能力を高めることができる。
【図面の簡単な説明】
【図１】水力発電装置に水受けランナー、水受けランナー円筒枠を設置した正面図である。
【図２】水力発電装置に水受けランナー、水受けランナー円筒枠を設置した平面図である。
【図３】水力発電装置に水受けランナー、水受けランナー円筒枠を設置した側面図である。
【発明を実施するための形態】
【０００７】水受けランナーと水受けランナー円筒枠の組み合わせにより、水のエネルギーをフルに取り込んで、さらに水受けランナーを垂直に構成し、水流を受ける角度を直角に保つことによって、水受けランナーの回転能力と発電能力の向上を可能とした。
【実施例１】
【０００８】図１は水受けランナー円筒枠８の内部を移動、回転する水受けランナー４は上部回転軸１に掛けられたチエーン７に取り付けた水受けランナー４が図３のように、水が外部に逃げないように、水受け円筒枠８の内部と同等の形態を成し、水受けランナー４は図１のように、下部回転軸２に掛けられたチエーン７に取り付けられている水受けランナー固定シャフト６により垂直に保たれて、水の重力、圧力を直角に受けながら移動、回転できるよう構成されており、水のエネルギーを効果的に捕捉することによって、水受けランナーの回転能力、及び発電能力の向上が得られる。
【産業上の利用可能性】
【０００９】  本発明の水力発電装置は自然水流をエネルギーにして発電でき、地球温暖化防止、省エネルギー分野での利用可能性がある。
【符号の説明】
【００１０】  １  上部回転軸
２  下部回転軸
３  上部下部連動回転軸
４  水受けランナー
５  水圧管取り付け口
６  水受けランナー下部固定シャフト
７  チエーン
８  水受けランナー円筒枠
９  発電機
１０  水位
１１  正回転歯車
１２  逆回転歯車
【図１】
2010276007.tif 000003
【図２】
2010276007.tif 000004
【図３】
2010276007.tif 000005
(57)【要約】【課題】  人の体温を外部から一目でチェツクでき、正確で、衛生上の問題から、一回限りの使用で安価に製造できる体温計。【解決手段】  耳栓型で、内部にサーミスター、ＣＰＵ、ＬＥＤ、電池が搭載されており、外耳道に挿入し、外耳道表面からの熱を基板上のサーミスタに伝え、ＣＰＵ内でＡ／Ｄ変換し、温度値を計算し、設定温度ごとにＬＥＤ点滅スピードを変更し、外部から一目で人の体温の状態を把握できる体温計。【選択図】図１
2010276590.tif 000002
【特許請求の範囲】
【請求項１】
電子体温計であって、人体の体温測定において、外耳道内の体温を測定し、その結果を自身で光の点滅等で外部に知らせる耳栓型温度測定器で、小型化し、耳介、外耳道だけで保持でき、測定が完了すると廃棄する安価な耳栓型電子体温計
【請求項２】
請求項１の装置において、測定回路をモールドし、外耳道に装着しやすい、柔らかな保持樹脂で、熱伝導率の高い物資、または熱伝導率の高い物質を混合し、測定回路部にある温度センサーまでの温度伝達時間を早くした事を特徴とする、電子体温計。
【発明の詳細な説明】
【技術分野】
【０００１】本発明は耳式電子体温計に関する。
【背景技術】
【０００２】  新インフルエンザ等の防疫方法で必要な手法の一つが体温測定である。大量の人間を簡単に測定するには赤外カメラがあるが、顔や肌の露出部を映像で測定するので周囲の環境温度の影響等で測定値は不正確である。体温を正確に測定するには肌にじか触れる従来の体温計を使うしかないが、検査する人間全員に体温計を使うのは時間がかかり、現実的ではない。また、従来、体温計は体温を測定するもので、他の人間が見ただけで体温をチェツクできるものではない。
【先行技術文献】
【０００３】  登録実用新案第３０８７２７３号では試験片式ディスポーザブル体温計が提案されているが、試験片だけを取り変える構造で、本体は使い捨てではない。特許公開２００７−２４５９６にサーミスタをケースに密着させ、熱容量を小さくする方法が提案されている。
【発明の概要】
【発明が解決しようとする課題】
【０００４】  大量の人間の体温を外部の人間が、一目見て簡単にチェックでき、かつ測定値が正確で、衛生上の問題から、一回使用すれば廃棄する必要があり、そのため、製造コストが安価な体温計が求められる。
【課題を解決するための手段】
【０００５】人間の体で頭部はいつも露出しており、耳も露出している。そこで、耳栓様の形で、簡単に耳に装着できる構造で、内部に温度測定機構を入れ、体温の状態をＬＥＤで表示し、体温を簡単にチェックできるものを考案した。コストを下げるためセンサーは安価なサーミスタで外耳道温を測定する。高温か平常か判定するだけなので、表示手段として高価な液晶は必要なく、例えば、体温が３８℃以上か以下かは安価なＬＥＤの点滅時間を変えることにより判断できる。サーミスタは周囲温度が変化すると抵抗値が変化する素子であるが、電圧をかければその抵抗値により電圧が変化する。最近の半導体技術の進化により、Ａ／Ｄコンバータを内蔵したＣＰＵチップが安価に手に入り、温度の取得とＬＥＤのコントロールがＣＰＵチップのプログラムで行える。全体の機能の実現はサーミスタと安価なＣＰＵチップとＬＥＤと電池だけで構成できる。一回限りの使用なので、耐久性や時間経過による、温度特性の変化等は考慮する必要はない。
【発明の効果】
【０００６】本発明の請求項１記載の電子体温計では、耳に装着するだけで、体温の状態をＬＥＤの点滅の状態で表示できる。例えば、海外から航空機が到着した時点でこの電子体温計を乗客に配り、耳に装着させ、検疫所で点滅状態をチェックすることが可能である。
この電子体温計は安価であり、使い捨てで、回収の必要はない。
本発明の請求項２記載の電子体温計では、高速に熱平衡状態を作る必要があるため熱伝導率が高い材料を使い、温度測定を予測式に頼らず、実測式で体温測定が出来る。
【図面の簡単な説明】
【０００７】
【図１】本発明の実施例の耳への装着図
【図２】本発明の実施例の構成図
【図３】本発明の実施例のブロックダイヤグラム
【図４】本発明の実施例のフローチャート
【発明を実施するための形態】
【実施例】
【０００８】以下、本発明の体温計について図を用いて詳細に説明する。図１は本発明の体温計を耳に装着した図である。外耳道１に本発明の体温計２が装着されている。体温計２の外形は耳栓のように柔らかい材料で出来ており、どんな人でも外耳道１にフィットし、外耳道１で保持できる。また、直接肌に触れており、体温計２自身の容積が小さいことと、特許請求範囲２の熱伝導率が高い材料を使用しているため、熱平衡が早く高速で体温が測定できる。柔らかい熱伝導率が高い材料の中に図２の基板３が内臓されている。基板は実装コストを下げるためサーミスターを基板上に表面実装する。【０００９】しかしながら、肌に直接触れる部分とサーミスタ間は離れているので、モールド樹脂にできるだけ熱伝導率の高いものを選び、肌の温度が出来るだけ平衡状態になるようにする。温度計そのものの容積が小さく、接触点が外耳道だけなので、熱平衡の速度も速い。基板はＬＥＤ４、電池５、ＣＰＵ６、サーミスタ７で構成されている。基板３そのものがモールドされており、熱伝導率の高い材料で、熱がすぐにサーミスター７に伝わるようになっている。【００１０】図３は基板のブロックダイヤグラムである。ボタン電池５からＣＰＵ６、ＬＥＤ４に電源が供給されており、サーミスタ７の温度による抵抗変化により、電圧が変化し、ＣＰＵ６にはアナログで接続されており、ＣＰＵ６内部のＡ／Ｄコンバータが入力電圧をデジタルデータに変換する。サーミスタ７の抵抗値は温度値に換算でき、電圧値から温度値が算出できる。【００１１】図４はプログラムのフローチャートである。温度測定を行い、３５度以下かを判定し、以下であれば４秒間隔のＬＥＤルーチンにジャンプする。同時に装着されていない時は３５度以下なので体温計が正常に機能しているかどうかの指標になる。次に３７度以下かどうかを判定する。３７度以下であれば２秒間隔のＬＥＤ表示ルーチンにジャンプする。同様に３８度以下かどうかを判定し、それ以上になるとＬＥＤを連続点灯させる。
【産業上の利用可能性】
【００１２】  新型インフルエンザ等で、海外からの渡航者の体温のチェックが心要な場合がある。多数の体温を正確に測定することは不可能である。本発明の体温計は到着時にこの体温計を乗客に配布し、耳に装填してもらう。検疫所でこの温度計の点滅状態をチェックし、平熱状態を示す人はパスし、つけていない人と高熱状態の点滅の人だけを本格的に検査することにより、体温チェックが簡易化できる。
【符号の説明】
【００１３】１．外耳道
２．体温計
３．基板
４．ＬＥＤ
５．電池
６．ＣＰＵ
【図１】
2010276590.tif 000003
【図２】
2010276590.tif 000004
【図３】
2010276590.tif 000005
【図４】
2010276590.tif 000006
(57)【要約】【課題】七輪を使用していて、炭火が弱くなった時、鍋や網を一度取り外さなくても炭を補充して加熱できる様に上下の鉄筋フレームをアングルで縦に繋いだ炭入れリングを提供する。【解決手段】  鉄筋で出来た上フレーム（１）と下フレーム（２）を上下に設け、アングルで出来た、縦フレーム（３）で上下を繋いだ、炭入れリングを七輪（４）の上に置き、その上に網（５）をのせ、炭入れリングの横から炭を補充して加熱が出来るのが特徴【選択図】図１
2010276330.tif 000002
【特許請求の範囲】
【請求項１】
七輪の上に鉄筋で出来た上フレーム（１）と下フレーム（２）を、上下にアングルで出来たフレーム（３）で繋ぐ
【発明の詳細な説明】
【技術分野】
【０００１】この発明は、七輪の上に置く、上下に分離されたフレームに関するものである。
【背景技術】
【０００２】従来、七輪を利用するときは、直接、鍋や網をのせて使用していた。
【発明の開示】
【発明が解決しようとする課題】
【０００３】これは、次のような欠点があった。
従来、七輪の上に直接、鍋や網をのせて使用していると炭火が弱くなりそのたびに鍋や網を取って、炭を加えてなければならなかった。本発明は、以上のような欠点をなくすためになされたものである。
【課題を解決するための手段】
【０００４】鉄筋で出来た上フレーム（１）と下フレーム（２）を上下に設け、アングルで出来た、縦フレーム（３）で上下を繋ぐ。
本発明は、以上の構成よりなる炭入れリングである。
【発明の効果】
【０００５】七輪の上に炭入れリングを設置して、炭入れリングの上に、鍋や網をのせて使用するので、炭火が弱くなっても、鍋や網を取らずに、縦アングルで繋いだ、上下鉄筋フレームの間から、炭をいれて加熱することが出来る。
【発明を実施するための最良の形態】
【０００６】以下、本発明を実施するための最良の形態について説明する。
七輪（４）の大きさ・形状に合わせた、鉄筋６Φで出来た上フレーム（１）と下フレーム（２）を上下に設け、鉄製アングル３０×３０×３で出来た、縦フレーム（３）で上下を繋ぐ。
その際、上フレーム（１）と下フレーム（２）は縦フレーム（３）を切り込んで溶接する上フレーム（１）と下フレーム（２）の配置の間隔は６０ｍｍとする
本発明は、以上のような構造である。
これを使用するときは、七輪（４）の上に設置して、炭の火力が弱くなったら上フレーム（１）と下フレーム（２）の間から、炭を入れて加熱すればよい。
【図面の簡単な説明】
【０００７】
【図１】本発明の斜視図である。
【図２】本発明の平面図である。
【図３】本発明の断面図である。
【符号の説明】
【０００８】１  上フレーム
２  下フレーム
３  縦フレーム
４  七輪
５  網
【図１】
2010276330.tif 000003
【図２】
2010276330.tif 000004
【図３】
2010276330.tif 000005
(57)【要約】      （修正有）【課題】従来のクランプ（配管支持金具）は、管を挟む製品が樹脂製品だと、圧縮され樹脂の持つ特有の応力緩和により締め付けボルトの軸力が短時間で生じた。また、金属製品だと摩擦により磨耗し同じ現象がおきている。【解決手段】管を挟む樹脂製品本体の一部に金属、積層強化木、積層強化竹、又は硬度が有る樹脂製品を用いた製品で軸力を高め、管を挟む製品と上板の双方に、バネ等の反発力の長い物を用い、長期間安定した反発応力がかかれば保全性に富、金属疲労の発生を遅らせる事ができる。また、雰囲気の持つ振動により、締め付けボルトの緩みを無くす緩み止め機能も持たせたクランプである。【選択図】図１
2010276196.tif 000002
【特許請求の範囲】
【請求項１】
管の振動を緩和するクランプ（配管支持金具）に、長期間保持力を持たせたクランプ。
【請求項２】
クランプの上板に、締め付けボルトの緩み止め機能を設けた請求項目１のクランプ。
【発明の詳細な説明】
【技術分野】
【０００１】  本発明は、クランプの軸力低下防止に関する。
【背景技術】
【０００２】  従来のクランプは、樹脂製品、金属製品で管を挟みボルトで締めつけた商品である。【０００３】  以下、図１、により従来のクランプについて説明する。図において、１は管を挟む樹脂製品、金属製品で、下部金具２、上板３、締め付けボルト４、ボルト緩み止め板５、緩み止め板止めボルト６を有している。
【先行技術文献】
【特許文献】
【０００４】
【非特許文献】
【０００５】
【発明概要】
【発明が解決しようとする課題】
【０００６】  以上に述べた従来のクランプでは、施工後１の樹脂製品がボルトの締め付けにより圧縮され、樹脂の持つ特有の応力緩和により短時間で４の締め付けボルトの軸力が低下する。また、１を金属製品で用いても管の中を流れる流体と雰囲気が持つ振動により磨耗し軸力が低下する。仮に市販のスプリングワッシャーを使用しても反発有効長力が短く軸力低下が発生する。軸力低下を放置すれば、振動により起こる騒音と管の金属疲労が発生し保安上問題を起こす。
【０００７】  本発明は、このような従来の構成が有していた問題を解決しようとするものであり、管を挟む製品の力を効果的に長期間保持し、締め付けボルトの回転が緩まないように軸力の低下を防ぐ事を目的とするものである。
【問題を解決する為の手段】
【０００８】  そして、本発明は上記目的を達成するために、上板と管を挟む樹脂製品の一部に金属、積層強化木、積層強化竹、又は硬度が有る樹脂製品を使用し本体製品製作し、本体の一部にスプリング、イタバネ等の反発応力を持つ製品を用い、常に４と１に反発力を与え軸力の低下を防ぐ事を設けた物である。
【０００９】また、第二の解決手段に、ボルトを締め付け後、ボルトの回転を防止した物である。
【発明の効果】
【００１０】  上述したように本発明のクランプは、本体樹脂製品の一部に金属、積層強化木、積層強化竹、又は硬度が有る樹脂製品を使用し締め付け軸力を高め、尚、スプリング、イタバネ等の反発応力の持つ寿命の期間、管を締め付ける力を保持し、ボルトの軸力低下を防げる物である。
【００１１】  また、保全間隔の長期化により、保全コスト削減と騒音防止が図れ、金属疲労による保安上の問題も激減する。
【図面の簡単な説明】
【００１２】
【図１】本発明の実施形態を示すクランプの組み付け図
【図２】本発明の実施形態を示すクランプのＡ−Ａ断面図
【図３】本発明の実施形態を示すクランプの部品図
【発明を実施するための形態】
【００１３】  以下、本発明の実施の形態を図１〜図３に基づいて説明する。
【００１４】  図においては、１は管を挟む本体製品で、下部金具２、上板３、締め付けボルト４、コイルスプリング７。管は１で挟まれ、下部金具な２に乗せ、１と上板３の間にコイルスプリング７を用い、ボルト４で締め付け管を保持し振動を防止する。
【００１５】  上板３にはボルトの緩み止め加工と、１に反発応力を与える物が組み付けられている。
【００１７】  以下、構成の動作を説明する。クランプにセットされた管には、コイルスプリング７と上板３の反発応力が、１を通しそれらの持つ応力で押さえ、１が樹脂製品の場合は圧縮の限界まで常に応力がかかり、１が金属製品の場合も同じ作用が有る。それらにより、３の締め付けボルトにも同じ応力が作用し、応力緩和よる緩みと金属磨耗による緩みが防げる。
【００１８】  また、雰囲気の持つ振動により起こりえる締め付けボルト３の緩みを、上板に加工された緩み止めを用い、締め付けトルクを長期間保持する。
【図１】
2010276196.tif 000003
【図２】
2010276196.tif 000004
【図３】
2010276196.tif 000005
(57)【要約】【課題】広告物を用いることによって、炭酸ガスを発生させることなく、逆に炭酸ガスを吸収して酸素を排出することにより、環境負荷の少ないエコ広告となり環境に優しい広告物を提供する。【解決手段】広大な水田において、水稲や葉色の違う古代米を植え付けすることで、図柄や文字、ロゴマーク等を座標法、オフセット法、方眼法などによりエコ広告を表現する。【選択図】図１
2010231163.tif 000002
【特許請求の範囲】
【発明の詳細な説明】
【技術分野】
【０００１】  本発明は、水田における水稲や古代米等の葉、稲穂等の色を用いて行う屋外広告に関する分野のものである。
【背景技術】
【０００２】  電車の沿線等に屋外広告物を設置して、電車の車窓として乗客に広告を見せる方法が一般的であった。【０００３】  電車の沿線等に設置する従来の屋外広告物は垂直方向に木材及び金属、ペイント等を用いて看板や塔、電飾による方法を用いているため、素材の製造過程および広告期間中の電力消費等に炭酸ガスを排出するものであった。
【発明の概要】
【発明が解決しようとする課題】
【０００４】  しかしながら、本発明では、広告物を用いることによって、炭酸ガスを発生させることなく、逆に炭酸ガスを吸収して酸素を排出するエコ広告となり環境に優しい広告物を提供しようとするものである。
【課題を解決するための手段】
【０００５】  課題を解決する手段としては、本来、稲作は自然界の炭酸ガスを吸収して酸素を排出するものであることに着眼して、稲作を応用して、電車の沿線等に設置する広告物を構成させることにした。【０００６】この発明は、一般的な水稲が栽培されている水田に古代米等作物固有の葉、稲穂等の色を用いて絵画、ロゴマーク、図柄や文字を座標法、オフセット法、方眼法などにより、表現して屋外広告媒体とすることを特徴としている。【０００７】  本発明による広告は、広大な水田に座標法、オフセット法、方眼法などを用いて広告の目的に見合うように水稲や古代米等の植付けをすることにより実現させた。
【発明の効果】
【０００８】  水稲や古代米等を初め植物は本来炭酸ガスを吸収し酸素を排出するものであるから、自然界の摂理にかなった本発明では、環境への負荷を抑制することができる。
【図面の簡単な説明】
【０００９】
【図１】「本発明を基にした実施した水田アートの遠景写真である。」
【図２】「本発明を基にした実施した水田アートの近影写真である。」
【発明を実施するための最良の形態】
【００１０】  道路や鉄道の沿線および構築物等高所より水田全体が展望できる圃場で実施するのが、最良の形態ではあるが、それ以外の場所でも実現できるものである。
【実施例】
【００１１】  「請求項１」の実施形態の例として、「図１」に示すように、水稲や古代米等の葉、稲穂等の色の違いを利用して水田アートとして、図柄や文字を表現する。
【産業上の利用可能性】
【００１２】  本発明の目的は、植物体を用いて、地球に優しい広告を実現するものである。したがって、産業界の広告と農業振興の両面に有効であり、産業上で広く有意義に利用できる。
なぜならば水稲や古代米等は自然界の炭酸ガスを吸収し、酸素を排出するから自然界の炭酸ガスを吸収する広告媒体となるわけである。
【符号の説明】
【００１３】１  水稲
２  古代米
【図１】
2010231163.tif 000003
【図２】
2010231163.tif 000004
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
一般的な水稲が栽培されている水田に水稲と古代米等の作物固有の葉の色、稲穂の色および芒の色等を用いて、絵画、ロゴマーク、図柄や文字を座標法、オフセット法、方眼法により、表現して屋外広告を行なうことを特徴する広告媒体およびその方法。
(57)【要約】      （修正有）【課題】口紅を購入する時、色を確認する方法が手の甲に塗るか直接唇に塗るしかなかった。全色の色見本シートを提供する。【解決手段】透明シート１に口紅２で唇型３を描き全色を束ねる。【選択図】図１
2010231164.tif 000002
【特許請求の範囲】
【請求項１】
透明なシート１枚に実物大の唇型を各化粧品会社毎の口紅で描きその上にもう１枚シートを重ね合わせ、全色を輪状金具で束ね各シートに色番号を付けたことを特徴とする口紅の色見本。
【発明の詳細な説明】
【技術分野】
【０００１】  本発明は、化粧品の口紅の色見本に関するものである。
【背景技術】
【０００２】  従来、口紅を購入する場合、手の甲に少量の紅で線を引く等して色を確認していた。
近年はパソコン画面で使用後の色を判断する事もできるようになっている。
【先行技術文献】
【０００３】
【特許出願】
２００７−２０５８９９
【特許公開】
２００８−６２０４２
【発明の概要】
【発明が解決しようとする課題】
【０００４】  口紅購入時、店頭で試供品を手の甲で試す場合実際に使用した時の色の出方や、手に付いている紅の後処置に困ったり、直接自由に使用できる場合衛生面で心配だった。通信販売等で購入する場合も他の色を実物大で試すことは不可能だった。
本発明は以上の問題点を解決するものである。
【課題を解決するための手段】
【０００５】  １枚目の透明シートに実物大の唇型を各化粧品会社毎の口紅で描きその上に透明シートの２枚目を重ねる。全色を同様に作成し、色番号を記入する。
全色のシートに穴をあけ、輪状金具で束ねたものである。
【発明の効果】
【０００６】  従来口紅スティック等のみで見ていた色を色見本シートを自分の唇にあてがって鏡を見ることにより、購入後の失敗が少なくなり、通信販売購入に際してもシートの束を同封する事で、他の色の購入もしやすくなる。
【図面の簡単な説明】
【０００７】
【図１】  本発明の単独シート下図
【図２】  本発明の単独シート上図
【発明を実施するための形態】
【０００８】  以下、本発明の実施の形態を説明する。
（イ）２枚の透明シートの内、１枚目（１）の中央部に口紅（２）で唇型（３）を描き２枚目（４）を重ねる。
（ロ）各色見本シートに色番号（５）を付ける。
（ハ）各色見本シートの右端に束ねるための金具を通す穴（６）を開ける。
（ニ）全色見本シートを番号順に重ねて束ね、輪状金具（７）でまとめる。
本発明は以上のような構造である。
本発明を使用するときは、（ニ）を持って鏡にむかい、１枚ずつ唇にあてがって自分に似合う色や気に入った色を探す。
【符号の説明】
【０００９】（１）透明シート１枚目
（２）口紅
（３）唇型
（４）透明シート２枚目
（５）色番号
（６）金具を通す穴、
（７）輪状金具
【図１】
2010231164.tif 000003
【図２】
2010231164.tif 000004